(57)【要約】【課題】簡易にかつ正確に相互変調の存在を検出する技術を提供する。【解決手段】探索部５２は、対象周波数ｆｄにおける受信信号が強電界である場合に、受信信号が強電界となる対象周波数ｆｄ以外の周波数を探索する。測定部５４は、探索部５２が第１周波数ｆａを検出した場合、２ｆａ−ｆｄとなる第２周波数ｆｂにおける受信信号の電界強度を測定する。検出部５６は、測定部５４において測定した電界強度がしきい値以上である場合、対象周波数ｆｄにおける相互変調を検出する。【選択図】図１
2018148306.tif 000002
【特許請求の範囲】
【請求項１】
対象周波数ｆｄにおける受信信号が強電界である場合に、受信信号が強電界となる対象周波数ｆｄ以外の周波数を探索する探索部と、
前記探索部が第１周波数ｆａを検出した場合、２ｆａ−ｆｄとなる第２周波数ｆｂにおける受信信号の電界強度を測定する測定部と、
前記測定部において測定した電界強度がしきい値以上である場合、対象周波数ｆｄにおける相互変調を検出する検出部と、
を備えることを特徴とする受信装置。
【請求項２】
対象周波数ｆｄにおける受信信号が強電界である場合に、受信信号が強電界となる対象周波数ｆｄ以外の周波数を探索する探索部と、
前記探索部が第１周波数ｆａと第２周波数ｆｂを検出した場合、ｆａ＋ｆｂ−ｆｄとなる第３周波数ｆｃにおける受信信号の電界強度を測定する測定部と、
前記測定部において測定した電界強度がしきい値以上である場合、対象周波数ｆｄにおける相互変調を検出する検出部と、
を備えることを特徴とする受信装置。
【請求項３】
対象周波数ｆｄの受信信号の復調結果である音声信号を減衰させるミュート部をさらに備え、
前記ミュート部は、前記検出部が相互変調を検出した場合に音声信号を減衰させることを特徴とする請求項１または２に記載の受信装置。
【請求項４】
前記検出部が、対象周波数ｆｄから所定の値だけずれた周波数ｆｄ’における相互変調を検出した場合、対象周波数ｆｄの受信信号を通過させるフィルタの帯域幅を狭くする調節部をさらに備えることを特徴とする請求項１または２に記載の受信装置。
【発明の詳細な説明】
【技術分野】
【０００１】
本発明は、受信技術に関し、特に信号を受信する受信装置に関する。
【背景技術】
【０００２】
強電界のような特殊環境下では複数の強電界局を受信することによって相互変調がチューナ内部で発生し、この相互変調による同一周波数妨害、隣接妨害の影響により受信性能が悪化する場合がある。このような相互変調の存在を検出するために、例えば、サブチューナを用いて受信局に対して相互変調妨害局となる２つの局が検出される（例えば、特許文献１参照）。
【先行技術文献】
【特許文献】
【０００３】
【特許文献１】特開２００４−２２９１７０号公報
【発明の概要】
【発明が解決しようとする課題】
【０００４】
相互変調妨害局となる２つの局を検出するために、サブチューナが必要になったり、そのような２つの局の周波数をもれなく算出することが必要になったりする。もれなく算出する場合、算出に要するための時間が長くなる。一方、同一周波数妨害においては、チューナの各種検出値から状態のよい希望局か妨害局かの判別が困難である。
【０００５】
本発明はこうした状況に鑑みてなされたものであり、その目的は、簡易にかつ正確に相互変調の存在を検出する技術を提供することである。
【課題を解決するための手段】
【０００６】
上記課題を解決するために、本発明のある態様の受信装置は、対象周波数ｆｄにおける受信信号が強電界である場合に、受信信号が強電界となる対象周波数ｆｄ以外の周波数を探索する探索部と、探索部が第１周波数ｆａを検出した場合、２ｆａ−ｆｄとなる第２周波数ｆｂにおける受信信号の電界強度を測定する測定部と、測定部において測定した電界強度がしきい値以上である場合、対象周波数ｆｄにおける相互変調を検出する検出部と、を備える。
【０００７】
本発明の別の態様もまた、受信装置である。この装置は、対象周波数ｆｄにおける受信信号が強電界である場合に、受信信号が強電界となる対象周波数ｆｄ以外の周波数を探索する探索部と、探索部が第１周波数ｆａと第２周波数ｆｂを検出した場合、ｆａ＋ｆｂ−ｆｄとなる第３周波数ｆｃにおける受信信号の電界強度を測定する測定部と、測定部において測定した電界強度がしきい値以上である場合、対象周波数ｆｄにおける相互変調を検出する検出部と、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、簡易にかつ正確に相互変調の存在を検出できる。
【図面の簡単な説明】
【００１０】
【図１】実施例１に係る受信装置の構成を示す図である。
【図２】図１の受信装置において受信される信号のスペクトルを示す図である。
【図３】図１の受信装置による受信手順を示すフローチャートである。
【図４】実施例２に係る受信装置による受信手順を示すフローチャートである。
【発明を実施するための形態】
【００１１】
（実施例１）
本発明を具体的に説明する前に、まず概要を述べる。本発明の実施例１は、ラジオの受信装置に関する。前述のごとく、受信している信号の周波数が相互変調の影響を受けるかを簡易にかつ正確に判定することが求められる。しかしながら、特に同一周波数妨害においては、チューナの各種検出値から状態のよい希望局か相互変調となる局かの区別が困難である。そのため、本実施例では、受信中の信号の周波数が相互変調の影響を受けるか否かを簡易に計算することを目的とする。また、計算結果をもとに状況に応じた最適なパラメータを設定することも求められる。本実施例では、希望局の周波数が決まっている場合、希望局の周波数とスイープして発見した強電界局の周波数との計算式による周波数に別の強電界局が存在するかを判定する。また、判定結果に応じて、ミュートするなど最適なパラメータ設定がなされる。
【００１２】
図１は、実施例１に係る受信装置１００の構成を示す。受信装置１００は、アンテナ１０、ＢＰＦ（Ｂａｎｄ−Ｐａｓｓ  Ｆｉｌｔｅｒ）１２、ＡＧＣ（Ａｕｔｏｍａｔｉｃ  Ｇａｉｎ  Ｃｏｎｔｒｏｌ）１４、ゲイン調節部１６、同調回路１８、ＡＤＣ（Ａｎａｌｏｇ  Ｔｏ  Ｄｉｇｉｔａｌ  Ｃｏｎｖｅｒｔｅｒ）２０、ラジオ信号処理部２２、音声信号処理部２４、ＤＡＣ（Ｄｉｇｉｔａｌ  Ｔｏ  Ａｎａｌｏｇ  Ｃｏｎｖｅｒｔｅｒ）２６、ミュート部２８、スピーカ３０、制御部４０を含む。また、制御部４０は、設定部５０、探索部５２、測定部５４、検出部５６、帯域幅調節部５８を含む。受信装置１００は、例えば、ラジオの受信装置である。
【００１３】
アンテナ１０は、図示しない送信装置からのＲＦ（Ｒａｄｉｏ  Ｆｒｅｑｕｅｎｃｙ）信号を受信する。ここで、送信装置は放送局に相当するが、複数の放送局のそれぞれが互いに異なった周波数において信号を送信している。アンテナ１０は、受信したＲＦ信号（以下、「受信信号」ということもある）をＢＰＦ１２に出力する。ＢＰＦ１２は、所望の帯域の受信信号のみを通過させるフィルタであり、所望の帯域の受信信号（以下、これもまた「受信信号」という）をＡＧＣ１４に出力する。
【００１４】
ＡＧＣ１４は、ゲイン調節部１６によって設定された増幅率によって、ＢＰＦ１２からの受信信号を増幅する。ここで、増幅率は、増幅された受信信号の電力が一定値に近づくように制御される。そのため、ＢＰＦ１２からの受信信号の電力が大きい場合、増幅率は小さくなり、ＢＰＦ１２からの受信信号の電力が小さい場合、増幅率は大きくなる。なお、増幅率が１よりも小さい場合、ＡＧＣ１４は、受信信号を減衰させる。ＡＧＣ１４は、増幅した受信信号（以下、これもまた「受信信号」という）を同調回路１８に出力する。
【００１５】
同調回路１８は、共振回路の共振現象によって、共振周波数の周波数帯域を強調するとともに、共振周波数以外の周波数帯域を減衰させる。これによって、同調回路１８は、受信信号から共振周波数近傍の信号を取り出す。ここで、共振周波数近傍の信号とは、共振周波数を中心として所定の帯域幅を有する信号である。所定の帯域幅を有する信号を取り出すために、同調回路１８にはフィルタが備えられる。なお、共振周波数は設定部５０によって設定される。同調回路１８は、共振周波数近傍の信号（以下、「選局信号」という）をＡＤＣ２０に出力する。ＡＤＣ２０は、選局信号に対してアナログ信号からデジタル信号への変換を実行する。ＡＤＣ２０は、デジタル信号に変換した選局信号（以下、これもまた「選局信号」という）をゲイン調節部１６、ラジオ信号処理部２２に出力する。
【００１６】
ラジオ信号処理部２２は、選局信号に対して復調処理を実行し、音声信号を抽出する。復調処理には公知の技術が使用されればよいので、ここでは説明を省略する。ラジオ信号処理部２２は、音声信号を音声信号処理部２４に出力する。音声信号処理部２４は、音声信号に対して再生処理を実行し、デジタル信号の音声を再生する。再生処理には公知の技術が使用されればよいので、ここでは説明を省略する。ＤＡＣ２６は、音声に対してデジタル信号からアナログ信号への変換を実行する。ＤＡＣ２６は、アナログ信号に変換した音声（以下、これもまた「音声」という）をミュート部２８に出力する。ミュート部２８は、検出部５６から指示を受けつけていなければ、ＤＡＣ２６からの音声をスピーカ３０に出力する。検出部５６から指示を受けつけている場合のミュート部２８の処理については後述する。スピーカ３０は音声を出力する。
【００１７】
ゲイン調節部１６は、ＡＤＣ２０から選局信号を受けつけ、選局信号の電力が一定値に近づくように増幅率を調節する。ゲイン調節部１６は、増幅率をＡＧＣ１４に設定するとともに、増幅率を測定部５４に出力する。設定部５０は、前述のごとく、同調回路１８における共振周波数を設定する。以下では、共振周波数を単に周波数ということもある。設定部５０は、希望局において使用されている周波数（以下、「対象周波数ｆｄ」という）を同調回路１８に設定する。その結果、同調回路１８は、受信信号から対象周波数ｆｄの近傍の信号を取り出す。
【００１８】
測定部５４は、ゲイン調節部１６から、同調回路１８において対象周波数ｆｄの近傍の信号が取り出されている場合の増幅率を受けつける。増幅率を受けつけることは、同調回路１８に入力される受信信号の電界強度を測定することに相当する。増幅率がしきい値よりも小さい場合、測定部５４は、対象周波数ｆｄにおける受信信号が強電界であることを検出する。ここで、しきい値は、例えば、１よりも小さい値に設定される。測定部５４は、受信信号が強電界であることを検出した場合、それを探索部５２に通知する。一方、測定部５４は、受信信号が強電界であることを検出しない場合、受信信号に対するこれまでの処理が実行され、スピーカ３０から音声が出力される。
【００１９】
探索部５２は、測定部５４からの通知を受けつけた場合、つまり対象周波数ｆｄにおける受信信号が強電界である場合に、受信信号が強電界となる対象周波数ｆｄ以外の周波数を探索する。具体的に説明すると、探索部５２は、設定部５０に対して周波数をスイープさせる。例えば、対象周波数ｆｄから周波数を下げていく。なお、周波数のスイープの制御はこれに限定されない。同調回路１８は、設定部５０からの設定に応じて周波数をスイープさせながら信号を取り出し、測定部５４は、周波数がスイープされていく信号に対する増幅率を受けつける。ここでも、測定部５４は、増幅率としきい値とを比較し、増幅率がしきい値よりも小さい場合、そのときの受信信号が強電界であることを検出する。なお、このしきい値は、対象周波数ｆｄにおける受信信号に対するしきい値と同一であってもよく、異なっていてもよい。
【００２０】
測定部５４は、受信信号が強電界であることを検出した場合、それを探索部５２に通知する。探索部５２は、測定部５４からの通知を受けつけた場合、周波数のスイープを停止する。停止した周波数が、受信信号が強電界となる対象周波数ｆｄ以外の周波数であり、第１周波数ｆａであるとする。一方、測定部５４は、受信信号が強電界であることを検出しなければ、探索部５２に通知を出力しないので、探索部５２は、周波数のスイープを続ける。
【００２１】
ここまでの処理によって、希望周波数ｆｄと第１周波数ｆａにおける強電界が検出されている。ここでは、このような場合に相互変調が生じる状況を説明する。相互変調は、２つの強電界局が存在する場合に発生しうる。２つの強電界局を強電界局Ａと強電界局Ｂと示す場合、強電界局Ａの第１周波数はｆａ［ＭＨｚ］と示され、強電界局Ｂの第２周波数はｆｂ［ＭＨｚ］と示される。なお、前者は既に検出されている。相互変調が生じる周波数ＩＭ１とＩＭ２は次のように示される。
ＩＭ１＝２ｆａ−ｆｂ  ・・・式（１）
ＩＭ２＝２ｆｂ−ｆａ  ・・・式（２）
【００２２】
ＩＭ１、ＩＭ２を生じさせる第２周波数ｆｂに強電界局Ｂの信号が存在するか否かを確認すればよい。この第２周波数ｆｂは、次のように示される。
ｆｂ＝  ２ｆａ−ｆｄ  ・・・式（３）
ここで、ｆｄ、ｆａは分かっているので、それらの値を式（３）に挿入すると第２周波数ｆｂが導出される。そのため、第２周波数ｆｂにおける信号が強電界であるか否かを確認すればよく、さらなる周波数のスイープは不要である。
【００２３】
探索部５２は、第２周波数ｆｂを導出し、第２周波数ｆｂの設定を設定部５０に指示する。設定部５０は、第２周波数ｆｂを同調回路１８に設定する。同調回路１８は、設定部５０からの設定に応じて第２周波数ｆｂ近傍の信号を取り出し、測定部５４は、第２周波数ｆｂ近傍の信号に対する増幅率を受けつける。これは、第２周波数ｆｂにおける受信信号の電界強度を測定することに相当する。測定部５４は、増幅率としきい値とを比較し、増幅率がしきい値よりも小さい場合、第２周波数ｆｂの受信信号が強電界であることを検出する。なお、このしきい値は、これまでのしきい値と同一であってもよく、異なっていてもよい。測定部５４は、第２周波数ｆｂの受信信号が強電界であるか否かを検出部５６、探索部５２に通知する。
【００２４】
検出部５６は、測定部５４からの通知において、第２周波数ｆｂの受信信号が強電界である場合、対象周波数ｆｄにおける相互変調を検出する。図２は、受信装置１００において受信される信号のスペクトルを示す。横軸は周波数を示し、縦軸は電界強度を示す。ここでは、第１周波数ｆａでの信号と第２周波数ｆｂでの信号によって、対象周波数ｆｄにおいて相互変調が発生している。図１に戻る。
【００２５】
一方、測定部５４からの通知において、第２周波数ｆｂの受信信号が強電界でない場合、探索部５２は、隣接局において相互変調が発生しているかを確認するために、対象周波数ｆｄからずれた周波数ｆｄ’の設定を設定部５０に指示する。周波数ｆｄ’は、ＦＭであれば１００ｋＨｚあるいは２００ｋＨｚだけ対象周波数ｆｄからシフトした周波数であり、ＡＭであれば９ｋＨｚあるいは１８ｋＨｚだけ対象周波数ｆｄからシフトした周波数である。
【００２６】
設定部５０は、周波数ｆｄ’を同調回路１８に設定する。同調回路１８は、設定部５０からの設定に応じて周波数ｆｄ’近傍の信号を取り出し、測定部５４は、周波数ｆｄ’近傍の信号に対する増幅率を受けつける。測定部５４は、これまでと同様に、増幅率をもとに、周波数ｆｄ’の受信信号が強電界であるか否かを判定する。測定部５４は、周波数ｆｄ’の受信信号が強電界であるか否かを検出部５６に通知する。検出部５６は、測定部５４からの通知において、周波数ｆｄ’の受信信号が強電界である場合、周波数ｆｄ’における相互変調を検出する。一方、検出部５６は、測定部５４からの通知において、周波数ｆｄ’の受信信号が強電界でない場合、相互変調が発生していないことを判定する。
【００２７】
以上の処理が終了した後、設定部５０は、対象周波数ｆｄを同調回路１８に設定する。検出部５６は、対象周波数ｆｄにおける相互変調を検出した場合、ミュート部２８にミュートの実行を指示する。ミュート部２８は、検出部５６からの指示を受けつけた場合、音声に対してミュートを実行してからスピーカ３０に出力する。ミュートには公知の技術が使用されればよいので、ここでは説明を省略する。
【００２８】
また、検出部５６は、周波数ｆｄ’における相互変調を検出した場合、帯域幅調節部５８に帯域幅の設定を指示する。帯域幅調節部５８は、検出部５６からの指示を受けつけると、周波数ｆｄ’における相互変調を検出しない場合よりも帯域幅を狭くするように同調回路１８のフィルタを設定する。これは、周波数ｆｄ’を含めないような帯域幅を設定することに相当する。さらに、検出部５６は、対象周波数ｆｄおよび周波数ｆｄ’における相互変調を検出しない場合、ミュート部２８および帯域幅調節部５８に指示を出力しない。そのため、ミュート部２８はミュートを実行せず、帯域幅調節部５８は帯域幅を狭くしない。
【００２９】
以上の構成による受信装置１００の動作を説明する。図３は、受信装置１００による受信手順を示すフローチャートである。同調回路１８は、設定部５０によって対象周波数ｆｄに設定される（Ｓ１０）。強電界であれば（Ｓ１２のＹ）、探索部５２は第１周波数ｆａを探索する（Ｓ１４）。同調回路１８は、設定部５０によって第２周波数ｆｂ＝２ｆａ−ｆｄに設定される（Ｓ１６）。第２周波数ｆｂにおける電界強度がしきい値以上であれば（Ｓ１８のＹ）、検出部５６は相互変調を検出する（Ｓ２０）。ミュート部２８は、ミュートを実行する（Ｓ２２）。電界強度がしきい値以上ではなく（Ｓ１８のＮ）、周波数ｆｄ’で相互変調を検出した場合（Ｓ２４のＹ）、帯域幅調節部５８は、同調回路１８のフィルタを狭帯域化する（Ｓ２６）。強電界でない場合（Ｓ１２のＮ）、あるいは周波数ｆｄ’で相互変調を検出しない場合（Ｓ２４のＮ）、処理は終了される。
【００３０】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３１】
本実施例によれば、２ｆａ−ｆｄとなる第２周波数ｆｂにおける受信信号の電界強度がしきい値以上である場合、対象周波数ｆｄにおける相互変調を検出するので、簡易にかつ正確に相互変調の存在を検出する技術を提供できる。また、２ｆａ−ｆｄとなる第２周波数ｆｂにおける受信信号の電界強度がしきい値以上である場合、対象周波数ｆｄにおける相互変調を検出するので、希望局が相互変調の影響を受けるか否かを簡易な計算により判定できる。また、相互変調を検出した場合音声信号に対してミュートを実行するので、相互変調の影響による不快な音声を抑制できる。また、周波数ｆｄ’における相互変調を検出した場合、対象周波数ｆｄの受信信号を通過させるフィルタの帯域幅を狭くするので、相互変調の影響を低減できる。
【００３２】
（実施例２）
次に、実施例２を説明する。実施例２は、実施例１と同様にラジオの受信装置に関する。実施例１では、２つの強電界局によって発生される相互変調を検出している。一方、実施例３では、３つの強電界局によって発生される相互変調を検出する。実施例２に係る受信装置１００は、図１と同様のタイプである。ここでは、実施例１との差異を中心に説明する。
【００３３】
実施例１と同様に、探索部５２は、対象周波数ｆｄにおける受信信号が強電界である場合に、受信信号が強電界となる対象周波数ｆｄ以外の周波数を探索する。ここでは、３つの強電界局によって相互変調が生じる状況を説明する。３つの強電界局を強電界局Ａ、強電界局Ｂ、強電界局Ｃと示す場合、強電界局Ａの第１周波数はｆａ［ＭＨｚ］と示され、強電界局Ｂの第２周波数はｆｂ［ＭＨｚ］、強電界局Ｃの第３周波数はｆｃ［ＭＨｚ］と示される。相互変調が生じる周波数ＩＭ１、ＩＭ２、ＩＭ３は次のように示される。
ＩＭ１＝ｆａ＋ｆｂ−ｆｃ  ・・・式（４）
ＩＭ２＝ｆａ−ｆｂ＋ｆｃ  ・・・式（５）
ＩＭ３＝−ｆａ＋ｆｂ＋ｆｃ  ・・・式（６）
【００３４】
ここでは、リスト化した強電界局が３個以上あった場合は上記の式に当てはめて対象周波数ｆｄに影響を与える相互変調が存在するか否かを確認する。具体的には、次のような処理が実行される。測定部５４が、対象周波数ｆｄにおける受信信号が強電界であることを検出した場合、検出部５６、設定部５０、測定部５４は、実施例１と同様に周波数をスイープさせながら、強電界局からの信号の周波数を探索する。実施例１では、第１周波数ｆａを検出した場合に周波数のスイープを終了させるが、実施例２では、１つの強電界局からの信号の周波数を検出した場合であっても、処理を続けることによって、探索部５２は強電界局のリストを作成する。強電界局のリストには、Ｎ個の強電界局とその周波数が示されている。
【００３５】
探索部５２は、強電界局のリストから、任意の２つの強電界局の周波数を選択する。選択された周波数は、第１周波数ｆａと第２周波数ｆｂである。探索部５２は、次のような計算によって、相互変調を発生しうる第３周波数ｆｃを導出する。
ｆｃ＝ｆａ＋ｆｂ−ｆｄ  ・・・式（７）
探索部５２は、第３周波数ｆｃの設定を設定部５０に指示する。設定部５０は、第３周波数ｆｃを同調回路１８に設定する。同調回路１８は、設定部５０からの設定に応じて第３周波数ｆｃ近傍の信号を取り出し、測定部５４は、第３周波数ｆｃ近傍の信号に対する増幅率を受けつける。これは、第３周波数ｆｃにおける受信信号の電界強度を測定することに相当する。測定部５４は、増幅率としきい値とを比較し、増幅率がしきい値よりも小さい場合、第３周波数ｆｃの受信信号が強電界であることを検出する。なお、このしきい値は、これまでのしきい値と同一であってもよく、異なっていてもよい。測定部５４は、第３周波数ｆｃの受信信号が強電界であるか否かを検出部５６に通知する。検出部５６は、測定部５４からの通知において、第３周波数ｆｃの受信信号が強電界である場合、対象周波数ｆｄにおける相互変調を検出する。
【００３６】
以上の構成による受信装置１００の動作を説明する。図４は、実施例２に係る受信装置による受信手順を示すフローチャートである。同調回路１８は、設定部５０によって対象周波数ｆｄに設定される（Ｓ５０）。強電界であれば（Ｓ５２のＹ）、探索部５２は、強電界となる第１周波数ｆａを探索するとともに（Ｓ５４）、強電界となる第２周波数ｆｂを探索する（Ｓ５６）。同調回路１８は、設定部５０によって第３周波数ｆｃ＝ｆａ＋ｆｂ−ｆｄに設定される（Ｓ５８）。第３周波数ｆｃにおける電界強度がしきい値以上であれば（Ｓ６０のＹ）、検出部５６は相互変調を検出する（Ｓ６２）。強電界でない場合（Ｓ５２のＮ）、あるいは第３周波数ｆｃにおける電界強度がしきい値以上でない場合（Ｓ６０のＮ）、処理は終了される。
【００３７】
本実施例によれば、ｆａ＋ｆｂ−ｆｄとなる第３周波数ｆｃにおける受信信号の電界強度がしきい値以上である場合、対象周波数ｆｄにおける相互変調を検出するので、簡易にかつ正確に相互変調の存在を検出する技術を提供できる。また、ｆａ＋ｆｂ−ｆｄとなる第３周波数ｆｃにおける受信信号の電界強度がしきい値以上である場合、対象周波数ｆｄにおける相互変調を検出するので、希望局が相互変調の影響を受けるか否かを簡易な計算により判定できる。
【００３８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３９】
実施例１と２の任意の組合せも有効である。本変形例によれば、２つの強電界局による相互変調の発生を調べてから、３つの強電界局による相互変調の発生を調べることができる。
【符号の説明】
【００４０】
１０  アンテナ、  １２  ＢＰＦ、  １４  ＡＧＣ、  １６  ゲイン調節部、  １８  同調回路、  ２０  ＡＤＣ、  ２２  ラジオ信号処理部、  ２４  音声信号処理部、  ２６  ＤＡＣ、  ２８  ミュート部、  ３０  スピーカ、  ４０  制御部、  ５０  設定部、  ５２  探索部、  ５４  測定部、  ５６  検出部、  ５８  帯域幅調節部、  １００  受信装置。
【図１】
2018148306.tif 000003
【図２】
2018148306.tif 000004
【図３】
2018148306.tif 000005
【図４】
2018148306.tif 000006